(57)【要約】  冷蔵庫（１）の他の冷蔵室（２、４）を開放する必要なしに消費者製品への直接なアクセスを有する、冷蔵庫（１）のための区分化された氷点下冷却設備。
2019507859.tif 000002
【特許請求の範囲】
【請求項１】
少なくとも１つの冷蔵室への少なくとも１つのアクセスドアを有するタイプの冷蔵庫のための区分化された冷却設備において、
前記アクセスドアは、消費者製品の容器のための複数の保管部分を備えた区分化された区画が提供され、前記区画は、それを前記冷蔵室から分離する仕切壁と、前記冷蔵室を上流側とし、かつ前記区分化された区画を下流側とする少なくとも１つの換気扇／送風機とを具備することを特徴とする、冷蔵庫のための区分化された冷却設備。
【請求項２】
前記冷蔵庫は、主冷却室であって、前記主室への主アクセスドアを備えた主冷却室と、冷凍室（冷凍庫）であって、それへのアクセスドアを備えた冷凍室（冷凍庫）とを有し、および前記区分化された区画を備えた前記少なくとも１つのドアは、前記冷凍庫ドアであることを特徴とする、請求項１に記載の冷蔵庫のための区分化された冷却設備。
【請求項３】
前記区画は、前記容器のための個別の保管空間を形成する複数の仕切壁を有することを特徴とする、請求項１に記載の冷蔵庫のための区分化された冷却設備。
【請求項４】
前記少なくとも１つの換気扇／送風機は、ファンであることを特徴とする、請求項１に記載の冷蔵庫のための区分化された冷却設備。
【請求項５】
前記容器のための前記個別の保管空間のそれぞれは、換気扇／送風機を具備することを特徴とする、請求項３または４に記載の冷蔵庫のための区分化された冷却設備。
【請求項６】
前記区画は、前記壁によって前記冷蔵室から遮断され、かつ前記冷蔵庫の前記少なくとも１つのアクセスドアの正面パネルによって外部から遮断される区画構造によって形成されることを特徴とする、請求項１に記載の冷蔵庫のための区分化された冷却設備。
【請求項７】
前記冷蔵庫ドアの前記正面パネル、前記区画構造および前記内壁は、前記冷蔵室にアクセスするための枢動アセンブリを、少なくとも１つの第１の開口ヒンジを用いて前記冷蔵庫内に形成する一方、前記冷蔵庫の前記アクセスドアの前記正面パネルは、前記区分化された区画への前記アクセスドアの少なくとも１つの第２の開口ヒンジにより、前記区画構造に枢動可能に連結されることを特徴とする、請求項１または６に記載の冷蔵庫のための区分化された冷却設備。
【請求項８】
前記冷却室は、少なくとも１つの温度センサを有することを特徴とする、請求項１に記載の冷蔵庫のための区分化された冷却設備。
【請求項９】
前記少なくとも１つの冷蔵庫ドアは、前記区画保管空間内に保管された前記消費者製品への視覚アクセス窓を有することを特徴とする、請求項１に記載の冷蔵庫のための区分化された冷却設備。
【請求項１０】
前記少なくとも１つの冷蔵庫ドアは、前記区画の内部温度を示す表示画面を備えることを特徴とする、請求項９に記載の冷蔵庫のための区分化された冷却設備。
【発明の詳細な説明】
【技術分野】
【０００１】
本発明は、好ましくは、飲料などの大量消費の製品または製品を含有するパッケージ、より具体的にはビール容器を冷却するための、家庭、公共、産業利用などのための機器、デバイス、装置および設備の分野に関する。要するに、本発明は、主に家庭用冷蔵庫内におけるこれらの製品の選択的で区分化された冷却のための方法である。
【背景技術】
【０００２】
産業、家庭または公共利用を問わず、一般製品用の冷蔵庫、自動販売機などは、内部の冷蔵室または冷却室として公知のものを含有する断熱箱からなる。家庭用冷蔵庫では、この箱の内部は、通常、２つの部分、すなわち主アクセスドアを備える主室内で概して製品（主に食品）を冷却するための１つの部分、および特定の特別な製品のより強い冷却（冷凍）に専用である、第１のものの上または下の別の部分に分割される。冷凍庫は、通常、一般部分より小さく、かつ−２５℃まで低温に達すことがある一方、主または一般室内の温度は、一般に、主または一般室内に保管される製品のタイプに十分な５〜８℃の範囲である。
【０００３】
しかし、特定の製品に対して、これらの温度状況のいずれも、製品を消費するために適切に調整するのに最適ではない。例えば、ビールは、一部の国、具体的には米州の慣習によれば、（主冷蔵室の５℃より低いが、冷凍庫の−２５℃より高い）氷点下の温度で消費される典型的な製品である。
【０００４】
ビールなどの製品のための所望の温度を発生させかつ維持するように設計された冷蔵庫があるが、それらは、飲食店、酒店などの専門施設のための冷蔵保管設備である。しかし、区分化された温度でビールおよび他の製品を適切に調整することに適合されるか、またはそのための特別な区画を有し、および前記製品への容易、迅速、かつ選択的なアクセスを提供する家庭用冷蔵庫は従来技術で未知である。
【０００５】
そのため、工場で装備されるか、または既存の家庭用冷蔵庫に適合されるかのいずれかである新しい設備が非常に便利であろう。それは、冷蔵室の最冷部の冷熱発生能力を使用して適切な温度でビール容器などの製品を保存することを可能にし、かつ機器の他の部分を開放する必要なしにこれらの製品への直接的なアクセスを提供するであろう。
【発明の概要】
【発明が解決しようとする課題】
【０００６】
したがって、本発明の１つの目的は、選択および制御された温度の空間を、それを必要とする製品のために創出することを可能にする、冷蔵庫のための区分化された冷却設備を提供すること、および冷蔵庫の他室を開放する必要なく、これらの製品への直接的なアクセスを提供することである。
【０００７】
本発明の別の目的は、冷蔵庫のための区分化された冷却設備であって、機器は、１つまたは複数のドアを有し得、前記ドアの少なくとも１つ  −  好ましくは、最冷室へのアクセスを提供するドア  −  は、区別された製品を保管および保護するための区分化された区画を含む、冷蔵庫のための区分化された冷却設備を提供することである。
【０００８】
本発明のさらなる目的は、冷蔵庫のための区分化された冷却設備であって、機器は、１つまたは複数のドアを有し得、前記ドアの少なくとも１つは、機器の冷却室にアクセスし、前記アクセスドアは、区画であって、それを前述の冷却室から分離する内壁を備え、および冷却室から空気を取り込み、かつ１つまたは複数の予め選択された温度に達しかつそれを維持するように前記容器保管空間部分に空気を誘導することができる少なくとも１つの換気扇／送風機を具備する区画内において複数の消費者製品容器保管空間を備える、冷蔵庫のための区分化された冷却設備を提供することである。
【課題を解決するための手段】
【０００９】
本発明の目的のさらなる明確さおよび理解のために様々な図が含まれている。これらの図は、単に例示目的で提示されており、本発明をその好ましい形態の１つで表している。
【図面の簡単な説明】
【００１０】
【図１】主冷蔵室のための１つの下部または主ドア、および冷凍庫にアクセスするための上部ドアの２つのドアを備えた家庭用冷蔵庫を示す。図面では、この冷蔵庫は、本発明の区分化された冷却設備を備えている。
【図２】冷蔵庫から分離され、かつ本発明の区分化された冷却設備を備える冷凍庫ドアの正面図を示す。
【図３】冷蔵庫から分離され、かつ上から見た本発明の区分化された冷却設備を備える冷凍庫ドアを示す。
【図４】冷凍区画にアクセスするその一次機能において、ドアが開放されている本発明の区分化された冷却設備を備える冷凍庫の斜視図を示す。
【図５】冷却される容器を保管する区画にアクセスするその二次機能において、ドアが開放されている本発明の区分化された冷却設備を備える冷凍庫の斜視図を示す。
【図６】本発明の区分化された冷却設備を備える冷凍庫の分解図を示す。
【図７】本発明の区分化された冷却設備を備える冷凍庫ドアの断面の上からの斜視図を示す。
【図８】冷気の循環方向を見ることができる本発明の側断面図を示す。
【発明を実施するための形態】
【００１１】
ここで、図面を参照すると、本発明は、選択および制御された温度の、それを必要とする製品、具体的には飲料、より具体的にはビールのための新しい区分化された冷却設備からなり、これは、他の冷蔵室を開放することなくビールを置きかつ取り出すことを可能にし、したがって他の製品に害をもたらす可能性がある他の冷蔵室への暖気の取り込みを回避することが分かり得る。
【００１２】
したがって、図１〜図８によれば、本発明の区分化された冷却設備は、主冷却区画２であって、前記主区画２への主アクセスドア３を備えた主冷却区画２と、冷凍区画４であって、冷凍区画４へのアクセスドア５を備えた冷凍区画４とを有するタイプの冷蔵庫１に使用することができる。前記アクセスドア５は、消費者製品の容器７のための複数の保管部分６を備えた区分化された区画を有し、複数の保管部分６は、図５に最も良く示された前記容器７のための個別の保管空間９を形成する複数の仕切壁８によって画定される。
【００１３】
前記容器７のための前記個別の保管空間９のそれぞれは、換気扇／送風機１０を備えることができ、換気扇／送風機１０は、ファンであり得、各換気扇／送風機１０は、前記冷蔵室４の上流の摂取側および前記区分化された区画の下流の誘発側を有し、したがってその中に置かれた容器を低温に維持するために、保管空間９の内側に冷気が入ることを可能にする。前記区分化された区画は、それを前記冷蔵室４から分離する内壁１１、およびそれを通って冷気の流れが冷蔵室から区分化された区画に誘導される複数のスロット１２が提供される。
【００１４】
図６に示されたようなスロット１２の配置は、本発明がこの配置に限定されることを示唆するものではない。内壁１１の上、横方向または下部分のスロット１２などの他の配置が、いかなる支障もなく考慮され得る。したがって、冷気は、スロット１２を通って入り、保管空間９の上部に流入し、そこでは、換気扇／送風機１０が飲料容器の温度を維持するように配置されている。次いで、冷気は、図８に最も良く示されている保管空間９の底部を通って冷蔵室に戻る。しかし、別法として、また冷気の循環を促進するために、各保管空間９は、任意の壁に少なくとも１つのスロットを有し得る（その場合には確認されたい）。
【００１５】
さらに、前記区分化された区画は、前記区画が前記内壁１１によって冷蔵室から遮断され、かつ冷蔵庫１の前記少なくとも１つのアクセスドア５の正面パネル２０によって外部から遮断されるように、複数のフレーム１３、１４、１５および１６であって、それらのそれぞれの「Ｌ」字形輪郭の横ブラケット１７、下部ブラケット１８および上部ブラケット１９上に装着された複数のフレーム１３、１４、１５および１６によって画定された構造によって形成される。
【００１６】
冷蔵庫１のアクセスドア５の前記正面パネル２０、前記区画構造および前記内壁１１は、冷蔵室４にアクセスするための少なくとも１つの第１の開口ヒンジ２１を通して、冷蔵庫１内に枢動アセンブリを形成する一方、冷蔵庫のアクセスドア５の前記正面パネル２０は、容器７が保管される区分化された区画へのアクセスドアの少なくとも１つの第２の開口ヒンジ２２により、前記区画構造に枢動可能に連結される。
【００１７】
図１〜図５によれば、第１のヒンジ２１は、冷蔵庫１の右上隅部に示されている一方、第２のヒンジ２２は、区分化された区画の左側面に配置されている。ヒンジ２１および２２のこの配置は、アクセスドアが、冷蔵室４にアクセスするために右に開放され得、または容器７が保管される区分化された区画にアクセスするために左に開放され得ることを必要とする。しかし、ヒンジのこの配置は、例示に過ぎず、ヒンジ配置が製造業者および各顧客の特殊な要求に依存して変化し得、それによって冷蔵室にアクセスするためにアクセスドア５が左右のいずれにも開放されることが可能になり、次いで区分化された区画が補完運動によって開放されるため、本発明の限定を構成するものではない。すなわち、本発明のアクセスドア５は、以下の開放設定を有し得る。
−  冷蔵室にアクセスするために右に開放し、かつ区分化された区画にアクセスするために左に開放するか、または
−  冷蔵室にアクセスするために左に開放し、かつ区分化された区画にアクセスするために右に開放する。
【００１８】
冷蔵室にアクセスするためにアクセスドアを左または右に開放し、その後、区分化された区画にアクセスするために左または右に開放することについて説明したが、これは、本発明がこれらの構成に限定されることを示唆するものではない。本発明は、冷蔵室にアクセスするためにアクセスドアを上方または下方に開放し、相関して、区分化された区画にアクセスするために下方または上方に開放することも考慮する。
【００１９】
区分化された区画を備えた前記少なくとも１つのアクセスドア５は、冷凍庫ドアであることを強調しておく。同様に、前記区分化された区画は、少なくとも１つの温度センサ（図示せず）を備え得る一方、前記正面パネル２０は、区分化された区画の保管空間９内に保管された前記消費者製品への視覚アクセスを提供する少なくとも１つの窓２３を有し得る。前記窓２３アセンブリは、透明シート２４を利用し、透明シート２４は、ガラスまたは当技術分野で使用される任意の周知のプラスチック材料であり得る。
【００２０】
正面パネル２０は、次いで上部カバー２５、底部カバー２６ならびに前記上部カバー２５および底部カバー２６に固定される前記第２のヒンジ２２を用いて、前記区画構造上に装着される。前記正面パネル２０は、その開／閉を容易にするための少なくとも１つの把持／開口デバイス２７、および前記区分化された区画の内側の少なくとも１つの温度表示画面２８を備える。前記主アクセスドア３も、その開／閉を容易にするために把持／開口デバイス２９を有することを強調しておく。
【００２１】
このように、冷蔵庫のための本発明の区分化された冷却設備が記載され示されている。要約すると、それは、選択および制御された温度の空間を、それを必要とする製品のために創出し、機器の他の冷蔵室を開放する必要なく、これらの製品への直接的なアクセスを有する。本発明は、製品の保管のための利用可能な空間を低減せず、また、本発明は、あらゆる冷蔵庫の同じ標準冷却源を使用するため、本発明は、冷却消費の分類も変えないことを付け加えることができる。
【００２２】
上記を鑑みて、以下の独立請求項に基づいて保護が求められる。
【図１】
2019507859.tif 000003
【図２】
2019507859.tif 000004
【図３】
2019507859.tif 000005
【図４】
2019507859.tif 000006
【図５】
2019507859.tif 000007
【図６】
2019507859.tif 000008
【図７】
2019507859.tif 000009
【図８】
2019507859.tif 000010
【国際調査報告】
2019507859.tif 000011
2019507859.tif 000012
2019507859.tif 000013
2019507859.tif 000014
2019507859.tif 000015
2019507859.tif 000016